(57)【特許請求の範囲】
【請求項１】
部品を一方向から嵌め込み配置する部品配置部を備えたケース構造であって、
前記部品配置部に、
該部品配置部の所定位置に前記部品を導くとともに、前記部品の配置時の摺動によって一部が削られていくガイド部と、
該ガイド部の終端近傍に前記部品に対向する開口部を有して凹状に形成された凹状形成部と、
を備える一方、
前記ガイド部が、前記凹状形成部の凹部内に突出するように設けられたことを特徴とするケース構造。
【請求項２】
前記凹状形成部は、
所定位置に配置された部品によって前記開口部が覆われることを特徴とする請求項１記載のケース構造。
【発明の詳細な説明】
【技術分野】
【０００１】
本発明は、部品を配置するケースの構造に係り、特に、部品を一方向からケース内の所定の位置に嵌め込み固定する部品配置構造を備えたケースの構造に関する。
【背景技術】
【０００２】
電気機器などの外郭を構成する器体内部には電気機器を構成する部品が内装される。例えば、分電盤に設けられる回路遮断器においては、その外郭を構成する器体が樹脂性素材で形成され、該器体内部には回路遮断器を構成する部品として、電路を開閉するための接点開閉機構部、該接点開閉機構部を操作するための操作部、電路に流れる電流を検出する電流検出部、検出された電流が所定の大きさになったときに前記接点開閉機構部に作用して接点を開状態にせしめる引外し装置部などを構成する種々の部品が内装される。
【０００３】
特許文献１には、分電盤に設けられる回路遮断器に利用される分岐開閉器が開示されている。このような分岐開閉器においては、その外郭を構成する器体となるケース（１，８）が樹脂性素材で形成され、該ケースには、予め、部品を配置する部品配置部（２２ａで示された隔壁など）が形成される。
【０００４】
ケース内において、特に配置位置が一義的に固定されることが好ましい部品については、該部品が予め定められた位置に配置されるよう、配置位置でのがたつきを規制する位置規制部を部品配置位置に設けることが一般的である。
【０００５】
特許文献１においては、配置位置が一義的に固定されることが好ましい部品として、引外し装置（２３ａ）が挙げられる。該引外し装置（２３ａ）は電路に流れる電流の電磁誘導を利用して接点開閉機構部に作用する装置で、電路となる主回路導電部を包囲するように設けられるヨーク（継鉄）と該ヨークに吸引される鉄片を備えている。
【０００６】
この引外し装置（２３ａ）をケースに配置するときは、ケース内に予め定められた位置に嵌め込むように配置する。該嵌め込み部の内寸法関係は引外し装置と若干干渉する寸法に定められており、引外し装置（２３ａ）を嵌め込み部に嵌め込む場合には、干渉する部分が摺動しながらはめ込まれていき、引外し装置（２３ａ）ががたつくことなく所定位置に配置されるように設計されている。
【先行技術文献】
【特許文献】
【０００７】
【特許文献１】特開２００２−５６７６３号公報（図１）
【発明の概要】
【発明が解決しようとする課題】
【０００８】
このように設けられた部品配置部によって、引外し装置などの部品は配置位置が一義的に固定されるが、その一方で、夫々が干渉することによって、部品或いは部品配置部において削れが発生し、削粉などの異物が発生することがある。
【０００９】
削粉などの異物が部品に付着したり、電路に付着すると、動作する部品であればその動作に影響を及ぼしたり、経時的に物性が変化して性能が正常に保たれなくなる可能性がある。特に、特許文献１のような回路遮断器にあっては、削粉などの異物が接点開閉機構部の接点間に付着すると、接点が閉じられても正常に電源を供給できなくなるおそれがある。
【００１０】
そこで、本発明は、上記課題に鑑み、部品を一方向からケース内に設けられた部品配置部に嵌め込み固定するときに、削れ粉などの異物が発生しても、該異物がケース内に飛散せず、部品配置部に留まることにより異物による影響が発生しない構造を備えたケースの構造を提供することを目的とする。
【課題を解決するための手段】
【００１１】
本発明に係る回路遮断器は、上述の課題を解決すべく構成されたもので、請求項１記載のケース構造は、部品を一方向から嵌め込み配置する部品配置部を備えたケース構造であって、前記部品配置部に、該部品配置部の所定位置に前記部品を導くとともに、前記部品の配置時の摺動によって一部が削られていくガイド部と、該ガイド部の終端近傍に前記部品に対向する開口部を有して凹状に形成された凹状形成部と、を備える一方、前記ガイド部が、前記凹状形成部の凹部内に突出するように設けられたことを特徴として構成したものである。
【００１２】
かかる構成によれば、部品を部品配置部に嵌め込む時に削粉などの異物が発生しても、該異物が部品に対向する開口部を有して凹状に形成された凹状形成部に収納されるから、異物がケース内に飛散することがないケース構造を提供できる。
【００１３】
また、請求項２記載の発明は、前記凹状形成部は、所定位置に配置された部品によって前記開口部が覆われることを特徴として構成したものである。
【００１４】
請求項２記載の発明によれば、前記部品に対向する開口部を有して凹状に形成された凹状形成部が、部品配置部に嵌め込まれた部品によって覆われるから、発生した異物を凹状形成部に留めることができ、異物がケース内に飛散することがない
【発明の効果】
【００１５】
本発明によれば、部品を一方向からケース内に設けられた部品配置部に嵌め込み固定するときに、削れ粉などの異物が発生しても、該異物がケース内に飛散せず、部品配置部に留まることにより異物による影響が発生しない構造を備えたケースの構造を提供することができる。
【図面の簡単な説明】
【００１６】
【図１】第１の実施形態を示した回路遮断器の斜視図を示す。
【図２】同実施形態に係る部品を配置したときの斜視図を示す。
【図３】同実施形態に係る嵌め込み対象部品を取り付けるときの斜視図を示す。
【図４】同実施形態に係る要部斜視図を示す。
【図５】同実施形態に係る要部拡大斜視図を示す。
【図６】第２の実施形態に係るケースの斜視図を示す。
【図７】同実施形態に係る要部拡大斜視図を示す。
【図８】従来例における説明図を示す。
【発明を実施するための形態】
【００１７】
次に本発明に係るケース構造について図１乃至図７を用いて詳細に説明する。実施形態は、本発明のケース構造を回路遮断器の器体に適用した場合について説明する。
【００１８】
（第１の実施形態）
（回路遮断器の説明）
図１は、本発明のケース構造を用いて構成した回路遮断器１を示したもので、互いに重ね合わせて器体を構成するケースのうち一方のケースを取り外した状態における内部構造を示している。該回路遮断器１は、分電盤の分岐回路遮断器として用いられる２極回路遮断器である。分電盤の接続形態によって、回路遮断器１は、単相三線式の回路又は単相二線式の回路に介在して電源を負荷側に供給する。
【００１９】
以降、回路遮断器の長手方向において、図中１０５で示された電源側端子部が設けられた側を電源側とし、該電源側の反対側を負荷側とする。また、回路遮断器１を操作する操作ハンドル１０３が設けられた側を前面側とし、回路遮断器を取付固定する取付板に取り付けられる側を底面側とし、左右の電線挿入孔１０５、１０６を結ぶ方向を幅方向として説明を行う。
【００２０】
回路遮断器１のケースは、樹脂性素材により構成されており、前記長手方向に分割されるようになっている。分割されたケースを第一のケース１０１及び第二のケース１０２とした場合に、これらケースを幅方向両側から重ね合わせて、回路遮断器１の外郭、即ち器体が構成される。
【００２１】
回路遮断器１を構成する各部品は、ケース内の所定の位置に配設される。ケースには各部品を配置するための部品配置部が形成されており、回路遮断器１では、前記第二のケース１０２に、各種部品を配置したうえで第一のケース１０１を重ね合わせて回路遮断器を構成する。
【００２２】
（回路遮断器の内部構成）
前記回路遮断器１は、漏電遮断器の形態を示している。該回路遮断器１の器体内部には、電源側に設けられた各極の電源側端子（１０５ａ，１０５ｂ）、負荷側に設けられた各極の負荷側端子１０４（他極の負荷側端子は図示しない）、これら端子と接続される各極の主回路導電部１１１、該主回路導電部１１１に介在し主回路導電部１１１に設けられた接点を接触／離反させる接点開閉機構部１１２、主回路導電部１１１に過電流などの異常電流が流れたときには前記接点開閉機構に作用して回路を切動作させる引外し装置（１１３）、前記各極の主回路導電部１１１が貫装される零相変流器（ＺＣＴ）１０９，該ＺＣＴ１０９からの出力信号を受けて回路に流れる漏電電流の大きさを検出する検知回路１１０、漏電電流の大きさが所定の大きさになった場合に前記検知回路１１０から動作信号を受けて前記接点開閉機構１１２に作用して回路を切動作させる漏電遮断機構（トリップコイル）１０８等が設けられる。各極の間には、極間絶縁壁Ａ（１０７）が配置されており、夫々の極の絶縁が保たれている。
【００２３】
また、接点開閉機構部１１２は、リンク機構によって操作ハンドル１０３と連結されており、自動遮断機構による動作のほか操作ハンドル１０３によって器体の外部から手動で入切操作することができる。
【００２４】
器体の前面側には、前記検知回路１１０及びトリップコイル１０８の動作を器体外部から手動で確認するためのテストボタン１０６が設けられている。該テストボタン１０６は、一部が器体外部に突出しており、器体外部から指などで押圧操作できる。テストボタン１０６の底面側には検知回路１１０に接続された接点回路が設けられており、テストボタン１０６を押圧下場合に接点回路が閉じることにより、前記検知回路１１０が駆動する構成となっている。
【００２５】
回路遮断器１の内部においては、前記極間絶縁壁Ａ（１０７）によって互いの極間が絶縁されている。該極間絶縁壁Ａ（１０７）は、電源側端子側１０５から負荷側端子１０４側に亘って回路遮断器の長手方向に略平面状に器体内に配置されて極間を絶縁している。また、極間絶縁壁Ａ（１０７）の側面には、前記検知回路１１０を構成するプリント基板が配設され、前面側には、前記テストボタンを保持するテストボタン保持部１０７Ａ１及びテストボタン１０６の底面側に設けられた検知回路１１０に接続される接点回路配置部が形成されている。
【００２６】
（部品配置部）
次に、ケース内において、配置位置が一義的に固定されることが好ましい部品として引外し装置１１３（背景技術における２３ａ）を挙げ、該引外し装置１１３の配置について本発明のケース構造を適用した形態について説明する。
【００２７】
図２には、前記極間絶縁壁Ａ（１０７）及び検知回路１１０を取外した状態を示している。引外し装置１１３は、極間絶縁壁Ａ（１０７）の裏面側に位置し、第二のケース１０２に設けられる部品配置部１１４に嵌め込んで固定される。
【００２８】
このように配置される引外し装置１１３をケースに取り付ける場合について、図３乃至図５を用いて説明を行う。第二のケース１０２に設けられた部品配置部１１４は、ケースの幅方向の側壁面側から幅方向に延出されたリブにより、引外し装置１１３の長手方向及び前面−底面方向の位置を規制する。
【００２９】
引外し装置１１３の長手方向の位置を規制するリブとして、位置決め部Ａ（１１１１Ａ）、位置決め部Ｂ（１１１２Ｂ）、位置決め部Ｄ（１１１４Ｄ）が設けられ、前面−底面側の位置を規制するリブとして、位置決め部Ａ（１１１１Ａ）、位置決め部Ｃ（１１１３Ｃ）、位置決め部Ｅ（１１１５Ｅ）が設けられる。
【００３０】
このうち、前記位置決め部Ｄ（１１１４Ｄ）、位置決め部Ｅ（１１１５Ｅ）は、先端が突起状の三角形状に幅方向に突条形成されたガイド部である。これらのガイド部は、ガイドの始端が、ガイド部の終端の方向（側壁面の方向）にテーパー状に加工されており、引外し装置１１３を配置するとき所定の位置に嵌め込みやすくされている。
【００３１】
前記ガイド部の終端近傍には、ガイド部の始端方向が開口された開口部を有して凹状に形成された凹状形成部１１５が形成されている。凹部は、ガイド部の三角形状の先端部が該凹部内に突出するように設けられている。
【００３２】
一方、引外し装置１１３は、一端に固定接点１１１ｅを配置した主回路導電部ａ（１１１ａ）と、該主回路導電部ａ（１１１ａ）の他端と接続された主回路導電部ｂ（１１１ｂ）と、該主回路導電部ｂ（１１１ｂ）を包囲するように設けられるヨーク（継鉄）１１１ｃと該ヨーク１１１ｃに吸引される鉄片１１１ｄとが一体に組みつけられたもので、前記部品配置部１１４に嵌め込み固定される。引外し装置１１３は、その嵌め込み時に前記位置決め部と当接する箇所が設けられており、夫々対応する位置決め箇所は、位置決め部Ａ（１１１１Ａ）が当接部ａ（１１１１ａ）、位置決め部Ｂ（１１１２Ｂ）が当接部ｂ（１１１２ｂ）、位置決め部Ｃ（１１１３Ｃ）が当接部ｃ（１１１３ｃ）、位置決め部Ｄ（１１１４Ｄ）が当接部ｄ（１１１４ｄ）、位置決め部Ｅ（１１１５Ｅ）が当接部ｅ（１１１５ｅ）である。即ち、引外し装置１１３における長手方向の位置を規制する当接部は当接部ａ、当接部ｂ、当接部ｄであり、前面−底面側の位置を規制する当接部は当接部ａ、当接部ｃ、当接部ｅである。
【００３３】
ここで、前面−底面方向の当接部ｃ（１１１３ｃ）−当接部ｅ（１１１５ｅ）間の長さに対して位置決め部Ｃ（１１１３Ｃ）−位置決め部Ｅ（１１１５Ｅ）間の長さを若干短く形成し、長手方向の当接部ｂ（１１１２ｂ）−当接部ｄ（１１１４ｄ）間の長さに対して位置決め部Ｂ（１１１２Ｂ）−位置決め部Ｄ（１１１４Ｄ）間の長さを若干短く形成し、部品と位置決め部が干渉する寸法関係に形成する。干渉量は数百マイクロミリメートル程度に形成しており、本実施形態の場合は、３００マイクロミリメートル程度である。
【００３４】
（嵌め込み時）
このように形成された引外し装置１１３を部品配置部１１４に配置するときには、概ね部品配置部１１４に引外し装置１１３を合わせて側壁の方向に向けて嵌め込んでいく。このとき、前記位置決め部Ｄ（１１１４Ｄ）及び位置決め部Ｅ（１１１５Ｅ）がガイド部の役割を果たし、前記ガイドの始端に形成されたテーパー状に加工された部分と相まって、引外し装置１１３を部品配置部１１４の所定位置に導く。さらに引外し装置１１３を嵌め込んでいくと、前面−底面方向の当接部ｃ（１１１３ｃ）−当接部ｅ（１１１５ｅ）間の長さに対して位置決め部Ｃ（１１１３Ｃ）−位置決め部Ｅ（１１１５Ｅ）間の長さを若干短く形成し、長手方向の当接部ｂ（１１１２ｂ）−当接部ｄ（１１１４ｄ）間の長さに対して位置決め部Ｂ（１１１２Ｂ）−位置決め部Ｄ（１１１４Ｄ）間の長さを若干短く形成していることにより、予め定めている干渉量程度のガイド部分が部品の当接部ｆ（１１１６ｆ）との摺動とともに削れていき、引外し装置１１３ががたつくことなく所定位置に配置される。具体的には、引外し装置１１３の当接部ｆ（１１１６ｆ）により、ガイド部における突起状の三角形状に幅方向に突条形成された先端部分が削られていく。
【００３５】
ガイド部分が当接部ｆ（１１１６ｆ）との摺動とともに削れていくことにより生じた削れ粉は、引外し装置１１３自体によって、側壁面側に押圧されていく。このとき、ガイド部の三角形状の先端部は前記凹状形成部１１５の凹部内に突出するように設けられているため、前記削れ粉は、そのまま凹部内に収納される。さらに、引外し装置１１３の所定配置位置において、当接部ｆ（１１１６ｆ）が前記凹部形成部１１５の開口部の縁部と重ね合わせられる程度の位置関係に形成しておくことにより、引外し装置１１３を部品配置部１１４に嵌め込んだときには、前記当接部ｆ（１１１６ｆ）が開口部の縁に蓋をする役割を果たし、凹部に収納された削れ粉は凹部内に留まる。
【００３６】
したがって、前記引外し装置１１３に対向する開口部を有して凹状に形成された凹状形成部１１５が、部品配置部に嵌め込まれた部品によって覆われるから、発生した削れ粉（異物）を凹状形成部１１５に留めることができ、異物がケース内に飛散することはない、
【００３７】
（第二の実施形態）
次に、第一の実施形態と同様に回路遮断器１を用いて第二の実施形態の説明を行う。第二の実施形態は、本発明のケース構造を、ケースに内装した部品に代えて、重ね合わされるケースそのものに適用したものである。（図６、図７）すなわち、回路遮断器１は、長手方向に分割するケースを備えているが、これらケース１０１、１０２に、本発明のケース構造を適用した形態である。
【００３８】
ケース１０１及びケース１０２は互いに重ね合わせられる。夫々のケースを重ね合わせたときに、夫々のケースの底面側の壁面が重なり合い二重底になるよう、ケース１０１、１０２には幅方向に延出する壁面が備えられている。
【００３９】
これらの底面側の壁面が重なり合う部分において、第一のケース１０１の底面側には、前記第二のケース１０２を導くガイドの役割を果たす位置決め部１０１１ｂが幅方向に突条形成される。該位置決め部１０１１ｂの終端近傍には、前記部品に対向する開口部を有して凹状に形成された凹状形成部１０１１Ｃが備えられている。また、ガイド部１０１１ｂの始端は、前記第一に実施形態と同様にテーパー状に加工されている。前記凹部は、前記位置決め部１０１１ｂの突起部が該凹部内に突出するように設けられている。
【００４０】
第一のケース１０１と重ね合わせられるケースである第二のケース１０２には、前記ガイド部１０１１ｂと摺動する組み合わせ壁１０２１が備えられており、この組み合わせ壁１０２１によって二重底が形成される。ケース同士を重ね合わせるときに位置決め部１０１１ｂの前面側と摺動し削られる。削られた削り粉は、先の実施形態と同様に、凹状形成部１０１１Ｃに向かって押圧されていき、遂には前記凹部内に収納される。ケースを重ね合わせたときに、組み合わせ壁１０２１の幅方向の面が凹部形成部の縁面と重ね合わされるような長さに形成しておくことにより、組み合わせ壁１０２１の幅方向の面によって前記凹部が覆われ、該凹部内に収納された削り粉は凹部からケース内に飛散できない。発生した削れ粉（異物）を凹状形成部１１５に留めることができ、異物がケース内に飛散することはない。
【００４１】
このように、樹脂性素材のケースに金属性素材の部品を嵌め込むときに発生する削れ粉のほか、樹脂性素材のケース同士を嵌め込むときに発生する削れ粉も部品配置部に形成された凹部形成部に留めることができ、異物による影響が発生しない構造を備えたケースの構造を提供することができる。
【符号の説明】
【００４２】
１  回路遮断器
１０１  第一のケース
１０１１ａ  誘い込み部
１０１１ｂ  ガイド部
１０１１ｃ  凹部形成部
１０２  第二のケース
１０２１  組み合わせ壁
１０３  操作ハンドル
１０４  負荷側端子
１０５  電源側端子
１０６  テストボタン
１０７  極間絶縁壁
１０８  トリップコイル
１０９  零相変流器（ＺＣＴ）
１１０  検知回路
１１１  主回路導電部
１１２  接点開閉機構部
１１３  引外し装置
１１４  部品配置部
１１５  凹部形成部
１１１１Ａ  位置決め部Ａ
１１１２Ｂ  位置決め部Ｂ
１１１３Ｃ  位置決め部Ｃ
１１１４Ｄ  位置決め部Ｄ
１１１５Ｅ  位置決め部Ｅ
１１１１ａ  当接部ａ
１１１２ｂ  当接部ｂ
１１１３ｃ  当接部ｃ
１１１４ｄ  当接部ｄ
１１１５ｅ  当接部ｅ
１１１６ｆ  当接部ｆ
【図１】
0005995268.tif 000002
【図２】
0005995268.tif 000003
【図３】
0005995268.tif 000004
【図４】
0005995268.tif 000005
【図５】
0005995268.tif 000006
【図６】
0005995268.tif 000007
【図７】
0005995268.tif 000008
【図８】
0005995268.tif 000009